(57)【要約】【課題】クールビズ等ノーネクタイファッションの服装においては粗雑感を解消でき、パーティー等においては、おしゃれ感を演出し他人との差別化を実現することができ、簡単に胸元に装着できるアクセサリーとしてのミニネクタイ又はミニ蝶ネクタイを提供する。【解決手段】請求項１に記載のアクセサリーは、飾り部１と、内部にボタンを収納する空間を有する取付け部２から成り、ボタンを前記空間に収納することにより、ワインタッチでシャツに装着できることを特徴とする。  請求項２に記載のアクセサリーは、請求項１記載の構成を有するアクセサリーであって、飾り部１がミニネクタイであることを特徴とする。  請求項３に記載のアクセサリーは、請求項１記載の構成を有するアクセサリーであって、飾り部１がミニ蝶ネクタイであることを特徴とする。【選択図】図２
0003205027.tif 000002
【実用新案登録請求の範囲】
【請求項１】
ボタンに装着するアクセサリーであって、
飾り部と、
内部にボタンを収納する空間を有する取付け部と、
から成ることを特徴とするアクセサリー。
【請求項２】
前記飾り部はミニネクタイであることを特徴とする請求項１記載のアクセサリー。
【請求項３】
前記飾り部はミニ蝶ネクタイであることを特徴とする請求項１記載のアクセサリー。
【考案の詳細な説明】
【技術分野】
【０００１】
本考案は、ボタンに装着するアクセサリーに関する。
【背景技術】
【０００２】
近年、夏場には省エネ等の理由により、いわゆるクールビズ等のノーネクタイファッションが一般的になりつつある。しかしながら、ネクタイをせずに第１ボタンを外したカジュアルなシャツの状態が、時にだらしなく殺風景にも見えることがある。このような場合、胸元に小さなアクセサリーを装着すると、開放感を保持しつつも、だらしなさを解消することができる。
【０００３】
一方、日常的にも、また、パーティー等の華やかな場所でも、平凡なネクタイ姿を避け、カジュアルな服装の上に小さなアクセサリーを装着するスタイルが流行ってきているが、シャツの胸元にアクセサリーを装着する人は少ない。
【考案の概要】
【考案が解決しようとする課題】
【０００４】
クールビズ等ノーネクタイファッションにおいては、胸元を開けた姿がだらしなく殺風景な印象を与えることは前述したが、このような場合、胸元にアクセサリーとしてミニネクタイやミニ蝶ネクタイを装着すると、開放感を保持しつつも、だらしなさを解消することができる。
【０００５】
一方、パーティーなどにおいて、胸や襟にブローチやコサージュを付けたスタイルは一般的過ぎて固い印象を与える。この場合にも、胸元にミニネクタイやミニ蝶ネクタイをさりげなく着用することで、他人との差別化を図り、周囲の人に対してユーモアやおしゃれ感を演出することができる。
【０００６】
現在一般に市販されているラペルピン型のミニネクタイがあるが、これはジャケットのラペルに装着するものしかなく、蝶タック、タイタック型のものを胸元に装着しようとするとシャツの裏側に突起が出て、胸に当たり痛みが走る。また装着する際にも鏡を見ながらミニネクタイのピンを刺す作業が必要になり迂遠である。
【０００７】
上述の問題に鑑み、本考案では、クールビズ等ノーネクタイファッションの服装においては粗雑感を解消でき、パーティー等においては、おしゃれ感を演出し他人との差別化を実現することができ、簡単に胸元に装着できるアクセサリーとしてのミニネクタイ又はミニ蝶ネクタイを提供することを課題とする。
【課題を解決するための手段】
【０００８】
上記課題を解決するために、請求項１に記載のアクセサリーは、飾り部と、内部にボタンを収納する空間を有する取付け部から成り、ボタンを前記空間に収納することにより、ワンタッチでシャツに装着できることを特徴とする。
【０００９】
請求項２に記載のアクセサリーは、請求項１記載の構成を有するアクセサリーであって、飾り部がミニネクタイであることを特徴とする。
【００１０】
請求項３に記載のアクセサリーは、請求項１記載の構成を有するアクセサリーであって、飾り部がミニ蝶ネクタイであることを特徴とする。
【考案の効果】
【００１１】
本考案に係るアクセサリーを使用することにより、クールビズ等、胸元の殺風景な印象やだらしない印象を想起しがちなノーネクタイファッションのマイナス点を解消することができる。
【００１２】
パーティー等の華やかな場で本考案に係るアクセサリーを使用することにより、ユーモアやおしゃれ感を演出することができ、他人との差別化を図ることができる。
【００１３】
本考案に係るアクセサリーは、ボタン装着式であるため、タック式のような痛みを伴うことなく、シャツの胸元にワンタッチで装着することができる。
【図面の簡単な説明】
【００１４】
【図１】実施形態１のアクセサリーの正面からの写真である。
【図２】実施形態１のアクセサリーの裏面からの写真である。
【図３】実施形態１のアクセサリーの取付け部のボタンカバーを開いた時の写真である。
【図４】実施形態１のアクセサリーの側面からの写真である。
【図５】実施形態１のアクセサリーをシャツに装着した時の写真である。
【図６】実施形態２のアクセサリーの正面からの写真である。
【図７】実施形態２のアクセサリーの側面からの写真である。
【図８】実施形態２のアクセサリーをシャツに装着した時の写真である。
【考案を実施するための形態】
【００１５】
以下、本考案の実施形態について図を用いて説明する。実施形態１は飾り部１がミニネクタイ（請求項２）であり、実施形態２はミニ蝶ネクタイ（請求項３）の場合であるが、両者ともに基本構成は請求項１の考案であり、変わりはない。
【００１６】
(実施形態１)
図１及び２に示すように、本考案に係るアクセサリーは、飾り部１と取付け部２によって構成され、本実施形態では飾り部１がミニネクタイとなっている。
【００１７】
飾り部１の制作は、気に入った柄の布（綿が最適）を型紙に沿って細長く裁断し、切れ目をミシンで縫い合わせ袋状の細長い長方形の布を作成する。これを通常のウインザーノットでタイ結びを行い、長さ約５ｃｍ程度のミニネクタイが完成する。
【００１８】
取付け部２は鉄材より成り、図３に示すように、ボタンを収容するボタン受け２１に対し、ボタンカバー２２が蝶番２３により開閉自在に枢結されている。ボタンカバー２２には切欠き２２２が形成され、ボタンの取付け糸を通す構成になっている。飾り部１と取付け部２は洋裁用接着剤により着接されている。
【００１９】
装着に際しては、取付け部２のボタンカバー２２が開いた状態で、ボタンカバー２２を上からボタン裏面とシャツとの隙間に挟入し、切欠き２２２に取付け糸が通った状態でボタンカバー２２を閉じる。これにより、取付け部２がボタンの取付け糸に係止する状態でミニネクタイがシャツに仮固定される。
【００２０】
本実施形態のミニネクタイのサイズは図４に示すとおりである。図５は本ミニネクタイの装着例を示す。本アクセサリーは、基本的に、シャツの第２ボタンに装着することを前提としているが、使用者の嗜好によっては、第１ボタンや他の場所のボタンに装着することを妨げるものではない。
【００２１】
（実施形態２）
実施形態２は、図６及び７に示すように。飾り部１がミニ蝶ネクタイであるが、素材及び取付け部２の構造は実施形態１と同じである。飾り部１の作成方法も基本的に前述したものと変わりない。
【００２２】
本実施形態のサイズは図６に示すとおりであるが、飾り部１を、もう少々大きめに作成し、これをシャツの第１ボタンに装着することにより、アクセサリーとしてではなく、蝶ネクタイとしての使用も可能となる。図８は、本ミニ蝶ネクタイの、アクセサリーとして装着する場合の例である。
【符号の説明】
【００２３】
１      飾り部
２      取付け部
２１    ボタン受け
２２    ボタンカバー
２２２  切欠き
２３    蝶番
【図１】
0003205027.tif 000003
【図２】
0003205027.tif 000004
【図３】
0003205027.tif 000005
【図４】
0003205027.tif 000006
【図５】
0003205027.tif 000007
【図６】
0003205027.tif 000008
【図７】
0003205027.tif 000009
【図８】
0003205027.tif 000010